(57)【特許請求の範囲】
【請求項１】
通信端末と、前記通信端末の位置を管理するモビリティ管理装置と、前記通信端末と通信相手との通信セッションを制御するセッション制御装置と、を備えた移動通信ネットワークシステムに接続されるネットワーク制御装置において、
通信端末からの位置登録要求信号を受信する受信手段と、
前記位置登録要求信号に基づいて前記モビリティ管理装置に前記通信端末の位置登録を行なう位置登録手段と、
前記位置登録要求信号に基づいて前記セッション制御装置に前記通信端末のユーザ登録を行うユーザ登録手段と、を備え、
前記位置登録要求信号を受信すると、前記位置登録手段が位置登録を行なうと共に、前記ユーザ登録手段がユーザ登録も行なうことを特徴とするネットワーク制御装置。
【請求項２】
位置登録されていない状態の前記通信端末から、前記位置登録要求信号を受信した場合に、前記位置登録を行なうと共に前記ユーザ登録を行なうことを特徴とする請求項１に記載のネットワーク制御装置。
【請求項３】
前記位置登録要求信号は、前記通信端末が接続する無線アクセスネットワークを変更した際に、位置登録されている情報の更新を要求する信号であることを特徴とする請求項１又は２に記載のネットワーク制御装置。
【請求項４】
前記セッション制御装置は、ＩＰマルチメディアコアネットワーク制御サブシステム（ＩＭＳ）のセッションを制御している装置であり、
前記位置登録要求信号から、ＩＭＳにおけるプロトコル形式であるユーザ登録要求信号を生成し、前記ユーザ登録要求信号をセッション制御装置に送信することにより、前記通信端末をＩＭＳにユーザ登録するＩＭＳ登録手段を更に有することを特徴とする請求項１から３のいずれか一項に記載のネットワーク制御装置。
【請求項５】
前記位置登録要求信号は、前記モビリティ管理装置において処理可能なプロトコル形式に従った信号であり、
前記位置登録要求信号を、前記セッション制御装置において処理可能なプロトコル形式であるユーザ登録要求信号に変換して前記セッション制御装置へ転送する要求信号転送手段を更に有することを特徴とする請求項１から４のいずれか一項に記載のネットワーク制御装置。
【請求項６】
前記モビリティ管理装置への位置登録に対する応答と、前記セッション制御装置へのユーザ登録に対する応答との両方を受信した後に、前記位置登録要求信号への応答に、ユーザ登録が行われた情報を加えて、前記通信端末に返信することを特徴とする請求項１から５のいずれか一項に記載のネットワーク制御装置。
【請求項７】
通信端末と、前記通信端末の位置を管理するモビリティ管理装置と、前記通信端末と通信相手との通信セッションを制御するセッション制御装置と、を備えた移動通信ネットワークシステムに接続されたネットワーク制御装置において、
通信端末からのサービス起動要求信号を受信する受信手段と、
前記サービス起動要求信号に基づいて、前記モビリティ管理装置に通信相手への発呼を要求する発呼要求手段と、
前記サービス起動要求信号に基づいて、前記セッション制御装置にサービス起動要求を転送する第１サービス起動要求転送手段と、を備え、
前記サービス起動要求信号を受信すると、前記発呼要求と、前記サービス起動要求の転送とを行なうことを特徴とするネットワーク制御装置。
【請求項８】
前記サービス起動要求によって要求されたサービスタイプに応じて、前記セッション制御装置を起動してセッションを確立すると判定された場合には、前記サービス起動要求を前記セッション制御装置へ転送することを特徴とする請求項７に記載のネットワーク制御装置。
【請求項９】
前記サービス起動要求によって要求されたサービスタイプによって、前記モビリティ管理装置への発呼要求を行なうことなく通信可能であると判定された場合には、前記サービス起動要求を通信相手を管理するネットワーク制御装置に転送する第２サービス起動要求転送手段を更に有することを特徴とする請求項７又は８に記載のネットワーク制御装置。
【請求項１０】
通信端末と、前記通信端末の位置を管理するモビリティ管理装置と、前記通信端末と通信相手との通信セッションを制御するセッション制御装置と、前記通信端末及び各装置を制御するためのネットワーク制御装置とを備えた移動通信ネットワークシステムにおいて、
前記通信端末は、位置登録要求信号を送信する通信端末位置登録要求信号送信手段を有し、
前記ネットワーク制御装置は、
前記通信端末からの位置登録要求信号を受信する受信手段と、
前記位置登録要求信号に基づいて前記モビリティ管理装置に前記通信端末の位置登録を行なう位置登録手段と、
前記位置登録要求信号に基づいて前記セッション制御装置にユーザ登録を行うユーザ登録手段と、を有し、
前記通信端末から送信された前記位置登録要求信号を前記ネットワーク制御装置が受信した場合に、前記位置登録手段により前記モビリティ管理装置に位置登録を行なうと共に、前記ユーザ登録手段により前記セッション制御装置にユーザ登録を行なうことにより、前記通信端末の位置登録とユーザ登録とを制御することを特徴とするネットワークシステム。
【請求項１１】
通信端末と、前記通信端末の位置を管理するモビリティ管理装置と、前記通信端末と通信相手との通信セッションを制御するセッション制御装置と、前記通信端末及び各装置を制御するためのネットワーク制御装置とを備えた移動通信ネットワークシステムにおいて、
前記通信端末は、サービス起動要求信号を送信するサービス起動要求信号送信手段を有し、
前記ネットワーク制御装置は、
前記通信端末からの前記サービス起動要求信号を受信する受信手段と、
前記サービス起動要求信号に基づいて、前記モビリティ管理装置に通信相手への発呼を要求する発呼要求手段と、
前記サービス起動要求信号に基づいて、前記セッション制御装置にサービス起動要求を転送する第１サービス起動要求転送手段と、を有し、
前記通信端末から送信された前記サービス起動要求信号を前記ネットワーク制御装置が受信した場合に、前記発呼要求手段により前記モビリティ管理装置への発呼要求を行い、さらに前記第１サービス起動要求転送手段により前記セッション制御装置へのサービス起動要求の転送を行なうことにより呼接続並びにセッション接続を制御することを特徴とするネットワークシステム。
【請求項１２】
通信端末と、前記通信端末の位置を管理するモビリティ管理装置と、前記通信端末と通信相手との通信セッションを制御するセッション制御装置と、を備えた移動通信ネットワークシステムに接続されるコンピュータに、
前記通信端末から位置登録要求信号を受信する受信機能と、
前記位置登録要求信号に基づいて前記モビリティ管理装置に前記通信端末の位置登録を行なう位置登録機能と、
前記位置登録要求信号に基づいて前記セッション制御装置にユーザ登録を行うユーザ登録機能と、
前記位置登録要求信号を受信すると、前記位置登録機能により位置登録を行なうと共に、前記ユーザ登録機能により前記ユーザ登録も行なう機能を実現させることを特徴とするプログラム。
【請求項１３】
通信端末と、前記通信端末の位置を管理するモビリティ管理装置と、前記通信端末と通信相手との通信セッションを制御するセッション制御装置と、を備えた移動通信ネットワークシステムに接続されるコンピュータに、
通信端末からのサービス起動要求信号を受信する受信機能と、
前記サービス起動要求信号に基づいて、モビリティ管理装置に通信相手への発呼を要求する発呼要求機能と、
前記サービス起動要求信号に基づいて、前記セッション制御装置にサービス起動要求を転送する第１サービス起動要求転送機能と、を備え、
前記サービス起動要求信号を受信すると、前記発呼要求と、前記サービス起動要求の転送とを行なう機能とを実現させることを特徴とするプログラム。
【請求項１４】
請求項１から６のいずれか一項に記載の移動通信ネットワークシステムに接続される通信端末において、
前記ネットワーク制御装置へ位置登録要求信号を送信する通信端末位置登録要求信号送信手段と、前記ネットワーク制御装置からユーザ登録が行われた情報を含めた前記位置登録要求信号への応答を受信する受信手段とを有することを特徴とする通信端末。
【請求項１５】
請求項７から９のいずれか一項に記載の移動通信ネットワークシステムに接続される通信端末において、前記ネットワーク制御装置へサービス起動要求信号を送信するサービス起動要求信号送信手段と、前記ネットワーク制御装置から呼接続及びセッション接続処理が行われたことを示す前記サービス起動要求信号への応答を受信する受信手段とを有することを特徴とする通信端末。
【請求項１６】
通信端末と、前記通信端末の位置を管理するモビリティ管理装置と、前記通信端末と通信相手との通信セッションを制御するセッション制御装置と、を備えた移動通信ネットワークシステムに接続されるネットワーク制御装置における制御方法であって、
通信端末からの位置登録要求信号を受信するステップと、
前記位置登録要求信号に基づいて前記モビリティ管理装置に前記通信端末の位置登録を行なうステップと、
前記位置登録要求信号に基づいて前記セッション制御装置に前記通信端末のユーザ登録を行うステップと、を有し、
前記位置登録要求信号を受信すると、前記位置登録を行なうと共に、前記ユーザ登録も行なうことを特徴とするネットワーク装置における制御方法。
【請求項１７】
通信端末と、前記通信端末の位置を管理するモビリティ管理装置と、前記通信端末と通信相手との通信セッションを制御するセッション制御装置と、を備えた移動通信ネットワークシステムに接続されたネットワーク制御装置における制御方法であって、
通信端末からのサービス起動要求信号を受信するステップと、
前記サービス起動要求信号に基づいて、前記モビリティ管理装置に通信相手への発呼を要求するステップと、
前記サービス起動要求信号に基づいて、前記セッション制御装置にサービス起動要求を転送するステップと、を有し、
前記サービス起動要求信号を受信すると、前記発呼要求と、前記サービス起動要求の転送とを行なうことを特徴とするネットワーク制御装置における制御方法。
【発明の詳細な説明】
【技術分野】
【０００１】
本発明は、  通信端末と、前記通信端末の位置を管理するモビリティ管理装置と、前記通信端末と通信相手との通信セッションを制御するセッション制御装置と、を備えた移動通信ネットワークシステムに接続されるネットワーク制御装置等に関する。
【背景技術】
【０００２】
ＩＭＴ−２０００に代表される移動通信分野においては、近年、音声に加えて動画等の大容量マルチメディアサービスが求められている。このような大容量マルチメディアサービスを効率良く提供するため、移動通信ネットワークは従来の回線交換方式ではなく、インターネットの発展によって構築されたＩＰ（Ｉｎｔｅｒｎｅｔ  Ｐｒｏｔｏｃｏｌ）通信技術を基盤として、ＩＰを効率的に伝送するための制御手段、伝送手段としてＩＰコアネットワークを配し、通信端末の認証や移動管理などの基本制御を行なうことを講じている。さらに、回線交換ベースのネットワークを収束し、パケットベースのネットワークに一本化していく方向にある（例えば、特許文献１参照）。【０００３】
さらに近年では、移動通信ネットワークは前述の大容量マルチメディアサービスやリアルタイムマルチメディアサービスを、リアルタイムに品質を保証しつつ伝送制御するために、ＩＰマルチメディアコアネットワークサブシステム（ＩＭＳ）を追加し、前記ＩＰコアネットワークを制御することを講じている。
【特許文献１】特開２００４−３２０７０２号公報
【０００４】
図８に、前記で説明した従来の移動通信ネットワーク構成の一形態を示す。図８に示す移動通信ネットワーク２０は、ＩＰマルチメディアコアネットワーク制御サブシステム（ＩＭＳ）２２と、ＩＰコアネットワーク２４と、ＩＰトランスポートネットワーク２６の３つのネットワーク（サービス）から構成されている。ここで、ＩＰマルチメディアコアネットワーク制御サブシステム（ＩＭＳ）は、テレビ電話や双方向グループ通信等のリアルタイム系マルチメディアサービスを行なう際に起動されるサブシステムであり、ストリーミング配信やメール、ＷＥＢ閲覧のようなその他のサービスタイプには基本的に用いられないものである。【０００５】
ここで、ＩＰマルチメディアコアネットワーク制御サブシステム２２には、通信端末の通信セッションの確立、維持、変更、終了を制御するセッション制御装置２２０と、セッションを実行するのに必要なＱｏＳを設定するＱｏＳ制御装置２２２と、通信端末を所有するユーザー（加入者）を識別し、認証する加入者情報管理装置２２４とが配置されている。【０００６】
また、ＩＰコアネットワーク２４は、通信端末の位置管理や移動管理、伝送パスの設定など、通信を行なう上での基本制御を行なうネットワークである。ＩＰコアネットワーク２４には、加入者管理サーバ２４２が配置され、通信端末がユーザにより起動され利用可能となった時に送信するアタッチ要求信号を受け、加入者を識別し、認証する。前記加入者情報管理装置２２４とは別にＩＰコアネットワークに配置される理由は、もともとＩＭＳを付加する以前の移動通信ネットワークにおいて、加入者を認証、管理する機能として加入者管理サーバが設けられていたためであるが、ＩＰによるリアルタイム系マルチメディアの発展に伴い、ＩＭＳにも加入者情報管理装置を配する必要が生じたからである。ＩＭＳサービスを用いたリアルタイム系マルチメディアサービスには加入者情報管理装置２２４が用いられ、それ以外のサービスには加入者管理サーバ２４２が用いられる。【０００７】
また、ＩＰコアネットワーク２４にはモビリティ管理装置２４０が配され、ルーティングエリア（無線アクセスネットワーク制御下のアクセスポイント（ＡＰ）が管轄する地理的な範囲）に在圏する通信端末の位置を管理する。具体的には、通信端末が位置登録を行なった時に、通信端末の識別子と、その在圏するＡＰ、アクセスルータ（ＡＲ）のアドレスとを関連付けて管理する。これにより、例えば第１通信端末４０Ａ宛に第２通信端末４０Ｂからサービス起動要求があった場合には、モビリティ管理装置２４０が第１通信端末４０Ａの在圏位置のＡＰ（ここではＡＰ３１０Ａ）、ＡＲ（ここではＡＲ２６０Ａ）を特定でき、該ＡＰ、ＡＲを介して第１通信端末４０Ａにサービス起動要求を行なうことが可能となる。【０００８】
また、モビリティ管理装置２４０は通信開始時に、通信端末が従属するＡＲを特定し、アクティブにする。アクティブになったＡＲは、通信端末固有の識別子とは別に、伝送経路設定用のＩＰアドレスを割り当て、そのＩＰアドレスをＡＲのアドレスと関連付けてモビリティ管理装置に通知するので、モビリティ管理装置はサービス起動要求側、及び相手側双方の通信端末のＩＰアドレス、ＡＲアドレスを管理することができ、それによりＩＰトランスポートネットワークにおける通信端末間の伝送経路を設定することが可能となる。【０００９】
ＩＰトランスポートネットワーク２６に配置されているＡＲは、通信端末と各制御装置間の制御信号やデータの転送を行うルーターであり、無線アクセスネットワークに対応して配置されている。また、前述したように、通信開始時には通信端末に伝送経路設定用のＩＰアドレスを割り当て、保持すると共に、前記モビリティ管理装置２４０に通知する。さらに、前記ＱｏＳ制御装置２２２からのリソース設定指示を受けて、伝送容量（帯域）を確保してデータ転送を実行する。図８では、第１無線アクセスネットワーク３０Ａに対応する第１ＡＲ２６０と、第２無線アクセスネットワーク３０Ｂに対応する第２ＡＲ２６０Ｂとが配置されている。【００１０】
無線アクセスネットワークは、無線アクセス種別毎に構成され、配置される。無線アクセスネットワーク内の無線リソース制御装置３０２は、無線リソースの状況（利用帯域幅、空き帯域幅、伝播路状況等）を管理すると共に、無線区間を通じて通信端末との間に必要な帯域での無線伝送路を確保する。図８では、第１無線アクセスネットワーク３０Ａに第１無線リソース制御装置３０２Ａが、第２無線アクセスネットワーク３０Ｂに第２無線リソース制御装置３０２Ｂが配置されている。【００１１】
ＡＰ（アクセスポイント）は、無線伝送路を通じて通信端末とのインターフェース点となる。通信端末は、ＡＰを介して無線アクセスネットワークに接続されることとなる。図８では、第１無線アクセスネットワーク３０ＡにＡＰ３１０Ａと、ＡＰ３１０Ｂとが、第２無線アクセスネットワーク３０ＢにＡＰ３１０Ｃと、ＡＰ３１０Ｄとが配置されている。【００１２】
通信端末４０は、無線アクセス手段を備え、加入者識別子を有し、アプリケーションの処理実行手段を有する通信端末である。図８では、通信端末４０として、通信端末４０Ａと、通信端末４０Ｂとが配置されている。そして、通信端末４０Ａは、例えばＡＰ３１０Ａを介することにより、無線アクセスネットワーク３０Ａに接続される。【００１３】
また、アプリケーション１０には、第１アプリケーションサーバ１００と第２アプリケーションサーバ１０２とが配置されている。各通信端末４０からのサービス起動要求に含まれる要求アプリケーション種別に従って、各アプリケーションを実行するサーバである。【００１４】
続いて、図を参照して従来技術による通信開始までの処理手順を説明する。まず、図９に示す（１）の手順によれば、第１通信端末４０Ａが起動すると、無線接続処理が実行され、無線リソース制御装置３０２Ａと接続される（Ｓ９０２）。続いて、第１通信端末４０Ａから、ＩＰコアネットワーク２４に配置されたモビリティ管理装置２４０へ位置登録要求／アタッチ要求の制御信号が送信される。【００１５】
モビリティ管理装置２４０は、加入者管理サーバ２４２へ第１通信端末４０Ａの加入者識別子を通知し、加入者管理サーバ２４２にて認証する処理を行なう（Ｓ９０４）。この際、通信端末４０Ａからの位置登録要求／アタッチ要求の制御信号は、レイヤー３プロトコルの位置登録要求／アタッチ要求メッセージを用いて行なわれる。【００１６】
また、第１通信端末４０Ａの位置情報をモビリティ管理装置２４０が保持する（Ｓ９０６）。また、モビリティ管理装置２４０は、「位置登録／アタッチ応答」の制御信号を第１通信端末４０Ａに送信する。【００１７】
続いて図１０、図１１を用い、通信を開始する際の仮想的な伝送パスを設定し通信を開始するまでの手順を説明する。仮想伝送パスの設定とは、ＩＰを利用したパケット通信において、通信端末の論理的な位置を識別するためのＩＰアドレスを割り当てる設定であり、特定の通信相手を指定したエンド・エンド間の物理的なパスではなく、ＩＰコアネットワークと通信端末間のパス、及びＩＰコアネットワークと相手側の通信端末間のパスとして設定される。なお、仮想伝送パスの設定は図９の（１）の設定が行なわれていることを前提に、通信を開始する際に起動される。【００１８】
図１０の（２）の手順によれば、第１通信端末４０Ａは、無線リソース制御装置３０２Ａと接続する無線接続処理を実行する（Ｓ９２０）。そして、ＩＰコアネットワーク２４のモビリティ管理装置２４０にアクセスし、通信接続要求（第１通信端末４０Ａの識別子情報）の制御信号を送信する。ここで、モビリティ管理装置２４０はＡＲをアクティブにすることで、ＡＲが第１通信端末４０Ａに対し仮想伝送パス設定用のＩＰアドレスを割り当てるよう処理し、ＡＲからＩＰアドレスの通知を受けとり、保持する（Ｓ９２２）。【００１９】
続いて、図１０の（３）の手順によれば、第１通信端末４０Ａは、ＩＭＳ２２のセッション制御装置２２０にユーザ登録要求を送信する。ここで、ユーザ登録要求の制御信号には第１通信端末４０Ａの自局識別子と識別番号（ＳＩＰ−ＵＲＩやＥ１６４など）を含めて送信する。これにより、その識別子に基づいた加入者情報管理装置２２４での認証、識別番号に基づいたセッション制御装置２２０でのユーザ登録、認証処理が行なわれる（Ｓ９２４）。そして、セッション制御装置２２０は、第１通信端末４０Ａのユーザ登録情報を保持し（Ｓ９２６）、ユーザ登録がなされた応答信号を第１通信端末４０Ａに送信する。【００２０】
さらに第１通信端末４０Ａは、通信相手となる第２通信端末４０Ｂの識別番号を指定したサービス起動要求をセッション制御装置へ送信する。なお、セッション制御装置との制御信号の送受にはＳＩＰ（Ｓｅｓｓｉｏｎ  Ｉｎｉｔｉａｔｉｏｎ  Ｐｒｏｔｏｃｏｌ）のサービス起動要求メッセージを用いる。【００２１】
続いて、図１１の（４）の手順によれば、セッション制御装置２２０は、第２通信端末４０Ｂの位置を管理するモビリティ管理装置２４０に発呼を要求し、モビリティ管理装置２４０は第２無線リソース制御装置３０２Ｂを介して第２通信端末４０Ｂへ発呼を行なう。なお、ここで、第２通信端末４０Ｂと、第２無線リソース制御装置３０２Ｂとの間は、無線接続処理により、通信路は確保されているものとする（Ｓ９４０）。【００２２】
第２通信端末４０Ｂが発呼へ応答すると、モビリティ管理装置２４０は第２通信端末４０Ｂが従属するＡＲをアクティブにすることで、ＡＲが第２通信端末４０Ｂに仮想伝送パス設定用のＩＰアドレスを割り当てるよう処理し、ＡＲからＩＰアドレスの通知を受け、それを保持する（Ｓ９４２）。また、第２通信端末４０Ｂは発呼に含まれる要求サービス内容から、ＩＭＳサービスであるかどうかがわかるので、セッション制御装置２２０へのユーザ登録要求を合わせて行なう（Ｓ９４４）。セッション制御装置２２０が第１通信端末４０Ａへサービス起動応答を行なうと、第１通信端末４０Ａは第２通信端末４０Ｂへ、前記設定された仮想伝送パス上でユーザーデータを送信することが可能となり、セッションを開始する。なお、（４）のセッション制御装置へのユーザ登録処理は、（１）〜（３）とは独立の処理であり、かつ（１）〜（３）の実行後に、ＩＭＳの起動が必要なサービスを開始時に、ＳＩＰメッセージを用いて実行される。【００２３】
図１２に、サービスタイプに応じて制御、設定が必要な装置を示す。サービスの種別は、会話型サービスのタイプ１と、双方向多者間通信型サービスのタイプ２と、ストリーミング配信型サービスのタイプ３と、バックグランド型サービスのタイプ４の４種類に分類できる。ここで、サービスタイプ１（会話型サービス）やサービスタイプ２（双方向型サービス）ではＩＭＳの起動が必要であり、前記（４）の処理が必要となるが、サービスタイプ３（ストリーミング型サービス）、サービスタイプ４（バックグラウンド型サービス）を利用する場合、ＩＭＳの起動は基本的に不要である。【００２４】
モビリティ管理装置２４０は、通信を行なう時に必須となる通信端末の位置の管理、仮想伝送パスの設定を行なうため、全てのサービスタイプの実行に共通して必要である。また、無線リソース制御装置も無線区間の帯域を確保することが必須となるので、どのようなサービスタイプの場合でも必要となる。このように、どの制御装置を用いたセッションを行うかは、通信端末がサービスタイプに応じて必要な登録処理を行ない、そのための制御プロトコルも使い分けて対応する。
【発明の開示】
【発明が解決しようとする課題】
【００２５】
上述したように、従来は無線アクセスネットワーク、ＩＰコアネットワーク、及びＩＭＳがそれぞれ独立した階層的な構成となっているために、通信端末が図９の（１）及び図１０の（２）の通信開始前の処理を行ったり、図１０の（３）のＩＰコアネットワークへの仮想伝送パス設定処理、ＩＭＳへのユーザ登録、サービス起動処理を行なう必要があり、複雑な処理となっていた。さらに、図１１の（４）の発呼を契機とした相手通信端末の各種登録処理も行なう必要があるため、通信開始までに処理時間を要し、接続遅延を招く原因となっていた。【００２６】
また、ネットワークにおいては、すべてのサービスタイプに対応するため、無線アクセスネットワーク、ＩＰコアネットワーク及びＩＭＳが、それぞれの階層で通信端末の状態を管理しておく必要があった。例えば、図１３に示すように、通信端末の電源オフ時、位置登録／アタッチ中、待ち受け時及び通信開始の状態を、無線アクセスネットワーク、ＩＰコアネットワーク及びＩＭＳが個々に分散して管理し、独立に保持しておく必要があり、管理の複雑さ、登録処理の煩雑さが問題点であった。【００２７】
さらに、通信開始時には上述の図９に示した（１）の処理が行なわれていることを前提に、図１０の（２）の仮想的伝送パスの設定、図１０の（３）のユーザ登録、及びサービス起動要求処理を実行した上で、さらに図１１の（４）のように何らかの手段を講じて相手通信端末に仮想伝送パスの設定、ユーザ登録を促すという段階的な処理を行なう必要があり、処理負荷の増大や、接続遅延につながる要因となっていた。【００２８】
これらの問題点は無線アクセスネットワーク、ＩＰコアネットワーク、及びＩＭＳが階層的な独立した構成となっていること、それぞれの階層で独自のプロトコルを用いていることに起因していた。即ち、認証系の情報、モビリティ管理系の情報、セッション制御系の情報が分散して送信され、それらの処理、制御を段階的に行なうことに問題点がある。【００２９】
上述した課題に鑑み、本発明の目的は、これらの制御情報を一括する手段を提供すると共に、各階層間での連携した登録処理を実現し、通信開始時に通信端末が行なう処理手順、処理負荷を低減することにより、接続遅延の解消を実現するネットワーク制御装置等を提供することである。
【課題を解決するための手段】
【００３０】
以上の課題を解決するために、本発明のネットワーク制御装置は、通信端末と、前記通信端末の位置を管理するモビリティ管理装置と、前記通信端末と通信相手との通信セッションを制御するセッション制御装置と、を備えた移動通信ネットワークシステムに接続されるネットワーク制御装置において、通信端末からの位置登録要求信号を受信する受信手段と、前記位置登録要求信号に基づいて前記モビリティ管理装置に前記通信端末の位置登録を行なう位置登録手段と、前記位置登録要求信号に基づいて前記セッション制御装置に前記通信端末のユーザ登録を行うユーザ登録手段と、を備え、前記位置登録要求信号を受信すると、前記位置登録手段が位置登録を行なうと共に、前記ユーザ登録手段がユーザ登録も行なうことを特徴とする。【００３１】
また、本発明のネットワーク制御装置は、位置登録されていない状態の前記通信端末から、前記位置登録要求信号を受信した場合に、前記位置登録を行なうと共に前記ユーザ登録を行なうことも特徴とする。【００３２】
また、本発明のネットワーク制御装置において、前記位置登録要求信号は、前記通信端末が接続する無線アクセスネットワークを変更した際に、位置登録されている情報の更新を要求する信号であることを特徴とする。【００３３】
さらに、前記セッション制御装置は、ＩＰマルチメディアコアネットワーク制御サブシステム（ＩＭＳ）のセッションを制御している装置であり、本発明のネットワーク制御装置は、前記位置登録要求信号から、ＩＭＳにおけるプロトコル形式であるユーザ登録要求信号を生成し、前記ユーザ登録要求信号をセッション制御装置に送信することにより、前記通信端末をＩＭＳにユーザ登録するＩＭＳ登録手段を更に有することも特徴とする。【００３４】
また、前記位置登録要求信号は、前記モビリティ管理装置において処理可能なプロトコル形式に従った信号であり、本発明のネットワーク制御装置は、前記位置登録要求信号を、前記セッション制御装置において処理可能なプロトコル形式であるユーザ登録要求信号に変換して前記セッション制御装置へ転送する要求信号転送手段を更に有することも特徴とする。【００３５】
また、本発明のネットワーク制御装置は、前記モビリティ管理装置への位置登録に対する応答と、前記セッション制御装置へのユーザ登録に対する応答との両方を受信した後に、前記位置登録要求信号への応答に、ユーザ登録が行われた情報を加えて、前記通信端末に返信することを特徴とする。【００３６】
本発明のネットワーク制御装置は、通信端末と、前記通信端末の位置を管理するモビリティ管理装置と、前記通信端末と通信相手との通信セッションを制御するセッション制御装置と、を備えた移動通信ネットワークシステムに接続されたネットワーク制御装置であって、通信端末からのサービス起動要求信号を受信する受信手段と、前記サービス起動要求信号に基づいて、前記モビリティ管理装置に通信相手への発呼を要求する発呼要求手段と、前記サービス起動要求信号に基づいて、前記セッション制御装置にサービス起動要求を転送する第１サービス起動要求転送手段と、を備え、前記サービス起動要求信号を受信すると、前記発呼要求と、前記サービス起動要求の転送とを行なうことを特徴とする。【００３７】
本発明のネットワーク制御装置は、前記サービス起動要求によって要求されたサービスタイプに応じて、前記セッション制御装置を起動してセッションを確立すると判定された場合には、前記サービス起動要求を前記セッション制御装置へ転送することも特徴とする。【００３８】
また、本発明のネットワーク制御装置は、前記サービス起動要求によって要求されたサービスタイプによって、前記モビリティ管理装置への発呼要求を行なうことなく通信可能であると判定された場合には、前記サービス起動要求を通信相手を管理するネットワーク制御装置に転送する第２サービス起動要求転送手段を更に有することを特徴とする。【００３９】
本発明のネットワークシステムは、通信端末と、前記通信端末の位置を管理するモビリティ管理装置と、前記通信端末と通信相手との通信セッションを制御するセッション制御装置と、前記通信端末及び各装置を制御するためのネットワーク制御装置とを備えた移動通信ネットワークシステムであって、前記通信端末は、位置登録要求信号を送信する通信端末位置登録要求信号送信手段を有し、前記ネットワーク制御装置は、前記通信端末からの位置登録要求信号を受信する受信手段と、前記位置登録要求信号に基づいて前記モビリティ管理装置に前記通信端末の位置登録を行なう位置登録手段と、前記位置登録要求信号に基づいて前記セッション制御装置にユーザ登録を行うユーザ登録手段と、を有し、前記通信端末から送信された前記位置登録要求信号を前記ネットワーク制御装置が受信した場合に、前記位置登録手段により前記モビリティ管理装置に位置登録を行なうと共に、前記ユーザ登録手段により前記セッション制御装置にユーザ登録を行なうことにより、前記通信端末の位置登録とユーザ登録とを制御することを特徴とする。【００４０】
本発明のネットワークシステムは、通信端末と、前記通信端末の位置を管理するモビリティ管理装置と、前記通信端末と通信相手との通信セッションを制御するセッション制御装置と、前記通信端末及び各装置を制御するためのネットワーク制御装置とを備えた移動通信ネットワークシステムであって、前記通信端末は、サービス起動要求信号を送信するサービス起動要求信号送信手段を有し、前記ネットワーク制御装置は、前記通信端末からの前記サービス起動要求信号を受信する受信手段と、前記サービス起動要求信号に基づいて、前記モビリティ管理装置に通信相手への発呼を要求する発呼要求手段と、前記サービス起動要求信号に基づいて、前記セッション制御装置にサービス起動要求を転送する第１サービス起動要求転送手段と、を有し、前記通信端末から送信された前記サービス起動要求信号を前記ネットワーク制御装置が受信した場合に、前記発呼要求手段により前記モビリティ管理装置への発呼要求を行い、さらに前記第１サービス起動要求転送手段により前記セッション制御装置へのサービス起動要求の転送を行なうことにより呼接続並びにセッション接続を制御することを特徴とする。【００４１】
本発明のプログラムは、通信端末と、前記通信端末の位置を管理するモビリティ管理装置と、前記通信端末と通信相手との通信セッションを制御するセッション制御装置と、を備えた移動通信ネットワークシステムに接続されるコンピュータに、前記通信端末から位置登録要求信号を受信する受信機能と、前記位置登録要求信号に基づいて前記モビリティ管理装置に前記通信端末の位置登録を行なう位置登録機能と、前記位置登録要求信号に基づいて前記セッション制御装置にユーザ登録を行うユーザ登録機能と、前記位置登録要求信号を受信すると、前記位置登録機能により位置登録を行なうと共に、前記ユーザ登録機能により前記ユーザ登録も行なう機能を実現させることを特徴とする。【００４２】
本発明のプログラムは、通信端末と、前記通信端末の位置を管理するモビリティ管理装置と、前記通信端末と通信相手との通信セッションを制御するセッション制御装置と、を備えた移動通信ネットワークシステムに接続されるコンピュータに、通信端末からのサービス起動要求信号を受信する受信機能と、前記サービス起動要求信号に基づいて、モビリティ管理装置に通信相手への発呼を要求する発呼要求機能と、前記サービス起動要求信号に基づいて、前記セッション制御装置にサービス起動要求を転送する第１サービス起動要求転送機能と、を備え、前記サービス起動要求信号を受信すると、前記発呼要求と、前記サービス起動要求の転送とを行なう機能とを実現させることを特徴とする。【００４３】
本発明の通信端末は、移動通信ネットワークシステムに接続される通信端末であって、ネットワーク制御装置へ位置登録要求信号を送信する通信端末位置登録要求信号送信手段と、ネットワーク制御装置からユーザ登録が行われた情報を含めた位置登録要求信号への応答を受信する受信手段とを有することを特徴とする。【００４４】
本発明の通信端末は、移動通信ネットワークシステムに接続される通信端末において、ネットワーク制御装置へサービス起動要求信号を送信するサービス起動要求信号送信手段と、ネットワーク制御装置から呼接続及びセッション接続処理が行われたことを示す前記サービス起動要求信号への応答を受信する受信手段とを有することを特徴とする。【００４５】
本発明のネットワーク制御装置における制御方法は、通信端末と、前記通信端末の位置を管理するモビリティ管理装置と、前記通信端末と通信相手との通信セッションを制御するセッション制御装置と、を備えた移動通信ネットワークシステムに接続されるネットワーク制御装置における制御方法であって、通信端末からの位置登録要求信号を受信するステップと、前記位置登録要求信号に基づいて前記モビリティ管理装置に前記通信端末の位置登録を行なうステップと、前記位置登録要求信号に基づいて前記セッション制御装置に前記通信端末のユーザ登録を行うステップと、を有し、前記位置登録要求信号を受信すると、前記位置登録を行なうと共に、前記ユーザ登録も行なうことを特徴とする。
【００４６】
本発明のネットワーク制御装置における制御方法は、通信端末と、前記通信端末の位置を管理するモビリティ管理装置と、前記通信端末と通信相手との通信セッションを制御するセッション制御装置と、を備えた移動通信ネットワークシステムに接続されたネットワーク制御装置における制御方法であって、通信端末からのサービス起動要求信号を受信するステップと、前記サービス起動要求信号に基づいて、前記モビリティ管理装置に通信相手への発呼を要求するステップと、前記サービス起動要求信号に基づいて、前記セッション制御装置にサービス起動要求を転送するステップと、を有し、前記サービス起動要求信号を受信すると、前記発呼要求と、前記サービス起動要求の転送とを行なうことを特徴とする。
【発明の効果】
【００４７】
本発明を適用することにより、通信端末がネットワーク制御装置に位置登録要求信号を送信すると、当該位置登録要求信号を受信したネットワーク制御装置は、モビリティ管理装置に位置登録を行う信号を出力し、セッション制御装置にユーザ登録を行う信号を出力する。したがって、通信端末は位置登録信号を送信するだけで、それぞれの装置に対し登録処理を実行することとなる。【００４８】
換言すれば、ネットワーク制御装置が加入者管理サーバもしくは加入者情報管理装置において管理される認証系情報、モビリティ管理装置で管理されるモビリティ管理系情報、セッション制御装置で管理されるセッション制御系情報など、従来ＩＰコアネットワークのレベルとＩＭＳのレベルで別々に処理されていた情報を統合し、位置登録／アタッチ要求の処理時にそれらをＩＰコアネットワークとＩＭＳへそれぞれ変換して転送することによって、通信端末の登録処理と状態管理を簡素化できると共に、サービス起動時の迅速な処理を実現する。また、通信端末は非通信時でも仮想的に常時接続状態であるように管理されることとなり、サービスの利便性を向上することにつながる。【００４９】
また、ネットワーク制御装置がサービスに応じてＩＭＳを利用するか否かを判断し処理することもできるため、通信端末はサービス起動要求を行なうだけで良く、統一的な手順でサービスを要求することができる。【００５０】
さらに、相手通信端末に対して通信接続とＩＭＳレベルへの登録を促す手順を解消することが可能となり、リソースの有効活用、オーバーヘッド削減などの効果がある。
【図面の簡単な説明】
【００５１】
【図１】本発明を適用した場合におけるネットワークシステムの概要を示す図。
【図２】ネットワーク制御装置等の構成を示す図。
【図３】通信端末及びネットワーク制御装置のデータの流れについて説明するための図。
【図４】本発明を適用した場合における接続手順について説明するための図。
【図５】本発明を適用した場合における通信端末の状態を説明するための図。
【図６】本発明を適用した場合における処理手順について説明するための図。
【図７】本発明を適用した場合における処理手順について説明するための図。
【図８】従来のネットワークシステムの概要を示す図。
【図９】従来のネットワークシステムの接続手順について説明するための図。
【図１０】従来のネットワークシステムの接続手順について説明するための図。
【図１１】従来のネットワークシステムの接続手順について説明するための図。
【図１２】従来のネットワークシステムの各制御装置の状態について説明するための図。
【図１３】従来のネットワークシステムにおける通信端末の状態を説明するための図。
【符号の説明】
【００５２】
１０  アプリケーション
１００  第１アプリケーションサーバ
１０２  第２アプリケーションサーバ
２０  移動通信ネットワーク
２２  ＩＰマルチメディアコアネットワーク制御サブシステム
２４、２８  ＩＰコアネットワーク
２４０  モビリティ管理装置
２４２  加入者管理サーバ
２４６  ネットワーク制御装置
２４６Ａ  第１ネットワーク制御装置
２４６Ｂ  第２ネットワーク制御装置
２６  ＩＰトランスポートネットワーク
２６０  ＡＲ
２６０Ａ  第１ＡＲ
２６０Ｂ  第２ＡＲ
３０  無線アクセスネットワーク
３０Ａ  第１無線アクセスネットワーク
３０Ｂ  第２無線アクセスネットワーク
４０  通信端末
４０Ａ  第１通信端末
４０Ｂ  第２通信端末
【発明を実施するための最良の形態】
【００５３】
以下、図面を参照して本発明を実施するための最良の形態について説明する。図１は、本発明を適用した場合における移動通信におけるネットワークシステムの概要を示した図である。移動通信ネットワーク２０は、ＩＰマルチメディアコアネットワーク制御サブシステム（ＩＭＳ）２２と、ＩＰコアネットワーク２８と、ＩＰトランスポートネットワーク２６とを備えて構成されている。【００５４】
さらに、ＩＭＳ２２には、セッション制御装置２２０と、ＱｏＳ制御装置２２２と、加入者情報管理装置２２４とが配置され、ＩＰコアネットワーク２８には、モビリティ管理装置２４０と、加入者管理サーバ２４２と、ネットワーク制御装置２４６（第１ネットワーク制御装置２４６Ａ及び第２ネットワーク制御装置２４６Ｂ）とが配置され、ＩＰトランスポートネットワーク２６にはアクセスルータ（ＡＲ）２６０（第１ＡＲ２６０Ａ及び第２ＡＲ２６０Ｂ）とが配置されている。【００５５】
さらに、移動通信ネットワーク２０は、第１アプリケーションサーバ１００と第２アプリケーションサーバ１０２とを備えるアプリケーション１０と、通信端末が接続するための無線アクセスネットワーク３０とに接続されている。【００５６】
無線アクセスネットワーク３０は、無線リソース制御装置３０２を備えており、通信端末４０を制御している。通信端末４０は、アクセスポイント（ＡＰ）３１０を介して無線リソース制御装置３０２に接続され、ネットワークにアクセス可能となる。【００５７】
本実施形態においては、無線アクセスネットワークとして、第１無線アクセスネットワーク３０Ａと、第２無線アクセスネットワーク３０Ｂとが備えられている。第１無線アクセスネットワーク３０Ａは、第１無線リソース制御装置３０２Ａを備えている。そして、第１通信端末４０Ａが、例えばＡＰ３１０Ａを介して第１無線リソース制御装置３０２Ａに接続することにより第１無線アクセスネットワーク３０Ａにアクセス可能となる。【００５８】
また、第２無線アクセスネットワーク３０Ｂは、第２無線リソース制御装置３０２Ｂを備えている。そして、第２通信端末４０Ｂが、例えばＡＰ３１０Ｄを介して第２無線リソース制御装置３０２Ｂに接続することにより第２無線アクセスネットワーク３０Ｂにアクセス可能となる。【００５９】
なお、本実施形態における各構成のうち、図８で説明した従来のネットワークシステムと同一の構成には同一の符号を付し、その詳細な説明を省略する。【００６０】
ここで、認証系情報、モビリティ管理系情報、セッション制御系情報などの系統が異なる各種制御信号を統合的に扱うネットワーク制御装置２４６が、図１に示すようにＡＲ２６０に対応させて配置されている。ネットワーク制御装置２４６は、通信端末４０からの認証系情報、モビリティ管理系情報、セッション制御系情報の信号を、ＡＲ２６０を介して一括して受け、ＩＰコアネットワーク２８及びＩＭＳ２２への制御信号にそれぞれ変換し、転送する。これにより、通信端末４０からの制御情報の送信、ネットワークへ転送する制御情報量を低減させる効果がある。また、ネットワーク制御装置２４６において、各階層間で個別に管理されていた状態情報を共有して統合的に管理しておくことで、ネットワーク側及び通信端末での状態管理を簡略化する効果がある。以下、ネットワーク制御装置２４６について説明する。【００６１】
図２は、ネットワーク制御装置２４６の構成について説明する為の図である。ネットワーク制御装置２４６は、プロトコル変換処理部２４６２と、セッション制御系情報管理部２４６４と、モビリティ管理系情報管理部２４６６とを有して構成されている。また、ネットワーク制御装置２４６は、ＩＰコアネットワーク２４に接続されており、さらに、アクセスルータ（ＡＲ）２６０及びＩＭＳ２０に接続されている。【００６２】
プロトコル変換処理部２４６２は、通信端末４０からの位置登録／アタッチ要求メッセージをＩＰコアネットワーク２４に転送したり、ＳＩＰのユーザ登録メッセージに変換する処理を行ない、ＩＭＳ２０に転送する処理部である。【００６３】
セッション制御系情報管理部２４６４は、ＩＭＳ２０の加入者情報管理装置２２４での通信端末の認証済／未の情報、及びセッション制御装置２２０でのユーザ登録済／未の情報を管理する機能部である。【００６４】
モビリティ管理系情報管理部２４６６は、ＩＰコアネットワークのモビリティ管理装置２４０での位置登録／アタッチの済／未の情報を管理する機能部である。これにより、通信端末４０が認証済であることをネットワーク制御装置２４６が把握すると共に、通信端末４０が定期的に行なう位置登録更新要求に対し、以前の位置登録情報から変更がない場合（無線による接続可能な圏内にある（在圏する）ＡＰやＡＲのアドレスに変更がない場合）には、モビリティ管理装置２４０へ位置登録更新要求を転送しないようにすることで、制御情報数を低減することも可能となる。【００６５】
また、モビリティ管理系情報管理部２４６６では、通信端末の仮想伝送パス設定用のＩＰアドレスを非通信時において管理するので、通信開始時にモビリティ管理装置２４０がＡＲ２６０をアクティブにしてＩＰアドレスを割り当てる手順が省略化される。【００６６】
図３に、ネットワーク制御装置２４６で制御、管理するデータ構成の一例を示す。ここでは、第１通信端末４０Ａを制御する場合を例に説明する。まず、非通信時に、位置登録／アタッチ要求プロトコルに基づいた位置登録／アタッチ要求の制御情報が送信される。具体的な内容としては、Ｄ１０１に示されるように第１通信端末４０Ａの識別子と、第１通信端末４０Ａが在圏するＡＰ（ＡＰ３１０Ａ）、ＡＲ２６０のアドレス（第１ＡＲ２６０Ａ）と、位置登録／アタッチ要求メッセージとが含まれている。ネットワーク制御装置２４６では、受信されたＤ１０１の制御情報をモビリティ管理装置２４０へ転送することで、従来通り位置登録処理、アタッチ処理が行なわれる。【００６７】
その後、モビリティ管理装置２４０から、第１通信端末４０Ａを認証済とする情報と、位置登録済とする情報とがネットワーク制御装置２４６へ応答されると、ネットワーク制御装置２４６は、モビリティ管理系情報管理部２４６６に保持する。それと同時に、ネットワーク制御装置２４６は前記Ｄ１０１の制御情報に基づきモビリティ管理装置２４０に第１通信端末４０ＡへのＩＰアドレスの割り当てを要求する。これにより、モビリティ管理装置２４０は、ＡＲ２６０をアクティブにし、仮想伝送パス設定用のＩＰアドレスを割り当てる処理を行なう。なお、この処理は前記の位置登録／アタッチ処理と同時に、並列に行なわれてもよい。【００６８】
ＡＲ２６０は割り当てたＩＰアドレスをモビリティ管理装置２４０へ送信する。そして、モビリティ管理装置２４０からネットワーク制御装置２４６へ応答されると、ネットワーク制御装置２４６は、モビリティ管理系情報管理部２４６６にてそれを保持する（Ｄ３０１）。【００６９】
また、ネットワーク制御装置２４６はプロトコル変換処理部２４６２にて、前記Ｄ１０１の制御情報を、Ｄ１０３のように第１通信端末４０Ａの識別子及びユーザ登録要求メッセージを含む制御情報（ＳＩＰのユーザ登録メッセージ）に変換し、ユーザ登録要求としてセッション制御装置２２０に送信する。これにより、セッション制御装置２２０でのユーザ登録、加入者情報管理装置２２４での認証がそれぞれ行なわれ、セッション制御装置２２０からの応答により、ネットワーク制御装置２４６はセッション制御系情報管理部２４６４にてそれを保持する（Ｄ２０１）。【００７０】
続いて、ネットワーク制御装置２４６を用いた移動通信ネットワークでの位置登録／ユーザ登録のプロトコル手順を、図４を用いて説明する。通信端末４０が起動すると、無線接続処理により、無線リソース制御装置３０２との間で無線制御回線が設定される（Ｓ１０２）。そして、通信端末４０は、位置登録／アタッチ要求をネットワーク制御装置２４６へ送信する。【００７１】
ネットワーク制御装置２４６は、前記通信端末から受信された位置登録／アタッチ要求を、モビリティ管理装置２４０に送信する。これにより、従来通りの位置登録、アタッチ処理が実行される（Ｓ１０４）。モビリティ管理装置２４０と加入者管理サーバ２４２との間で位置登録、アタッチ処理が行なわれると、前記位置登録／アタッチ要求に基づき通信端末４０へのＩＰアドレス割り当てをモビリティ管理装置２４０に要求する。なお、この処理は前記の位置登録／アタッチ処理と同時に、並列に行なわれてもよい。モビリティ管理装置２４０は、ＡＲ２６０に指示して仮想伝送パス設定用の通信端末４０のＩＰアドレス割当処理をここで行ない、そのＩＰアドレスをネットワーク制御装置２４６への応答に含め通知する（Ｓ１０６）。【００７２】
さらに、ネットワーク制御装置２４６は、前記位置登録／アタッチ要求をセッション制御装置２２０へのユーザ登録要求に変換し、送信する。セッション制御装置２２０と加入者情報管理装置２２４との間でユーザ認証、ユーザ登録がそれぞれ行なわれると、セッション制御装置２２０はユーザ認証／登録情報を含め、ネットワーク制御装置２４６へ応答する。これにより、従来、位置登録／アタッチ要求の処理後に、改めて通信端末４０からユーザ登録のために送受していたユーザ登録及び認証の処理手順が簡略化される（Ｓ１０８）。【００７３】
ここまでの手順が完了すると、ネットワーク制御装置２４６は通信端末４０に位置登録／アタッチ応答を送信するが、その際、ＩＰコアネットワークレベルでの通信接続、ＩＭＳレベルでのユーザ登録も完了したことを、通信端末４０に通知する。ここまでで、通信開始前の一連の処理は完了であり、通信端末４０からの一回の位置登録／アタッチ要求によって、モビリティ管理装置２４０での位置登録、仮想伝送パス設定用ＩＰアドレス割当処理と、加入者管理サーバ２４２でのアタッチ処理と、セッション制御装置２２０へのユーザ登録処理と、加入者情報管理装置２２４での認証処理が同時に行なわれる。【００７４】
ここで、図５にネットワークにおける通信端末の管理状態を示す。図５は、通信端末４０の状態を、「電源オフ時」、「位置登録／アタッチ中」、「待ち受け時」及び「通信時」に分けて示した図である。通信端末４０は、待ち受け時（非通信時）であっても、ＩＰコアネットワーク２８及びＩＭＳ２２のレベルで登録されている。したがって、すぐに仮想伝送パスを設定できる状態で待機している状態となり、実質的に移動通信ネットワークに常時接続されているのと同等の状態となる。【００７５】
次に、図６を用いて通信開始時のプロトコルの手順を説明する。ここでは、前提として、第１通信端末４０Ａだけでなく、第２通信端末４０Ｂも前記図４で説明した処理を行っている。前述のように、すでに第１ネットワーク制御装置２４６Ａで仮想伝送パス設定用のＩＰアドレスを保持しているため、従来技術で行われていた通信端末４０からＩＰアドレス割り当て要求を行なう手順が省略できるので、第１通信端末４０Ａは、直接サービス起動要求の信号を第１ネットワーク制御装置２４６Ａに送信することができる。この時、通信相手が第２通信端末４０Ｂである場合、第２通信端末４０Ｂの識別番号を指定した上でサービス起動要求を行なう。【００７６】
第１ネットワーク制御装置２４６Ａは、前記第２通信端末４０Ｂの識別番号を基に、モビリティ管理装置２４０に第２通信端末４０Ｂの仮想伝送パス設定用のＩＰアドレスを確認する。モビリティ管理装置２４０は第２通信端末４０Ｂの仮想伝送パス設定用のＩＰアドレスを、第１ネットワーク制御装置２４６Ａへ応答する。第１ネットワーク制御装置２４６Ａは、そのＩＰアドレスを第１ＡＲ２６０Ａに通知し、第１ＡＲ２６０Ａにおいて第１通信端末４０Ａと第２通信端末４０ＢとのＩＰアドレスが関連付けて保持される（Ｓ２０４）。【００７７】
続けて、第１ネットワーク制御装置２４６Ａは、第２通信端末４０Ｂへの発呼をモビリティ管理装置２４０に要求する。これは、従来技術のような相手通信端末に対しＩＰコアネットワークへの通信接続とＩＭＳへのユーザ登録を促す意味合いでの発呼とは異なり、第２通信端末４０Ｂ（のユーザ）に対し、第１通信端末４０Ａからのサービス起動要求があったことを通知して直ぐに通信が開始できるよう第２通信端末４０Ｂを呼び出す意味合いとなる。モビリティ管理装置２４０は、当該発呼要求を第２ネットワーク制御装置２４６Ｂに行なう際、当該発呼要求に第１通信端末４０Ａの識別番号と共に、第１通信端末４０Ａの仮想伝送パス設定用のＩＰアドレスを含めて通知する。そして第２通信端末４０Ｂが発呼に対し応答した際、第２ＡＲ２６０Ｂで第１通信端末４０Ａと第２通信端末４０ＢとのＩＰアドレスを関連付けて保持する（Ｓ２０８）。これにより、第１通信端末４０Ａ側と第２通信端末４０Ｂ側との仮想伝送パスが確立された状態となる。【００７８】
第２ネットワーク制御装置２４６Ｂは、前記発呼要求に対する応答として、第２通信端末４０ＢがＩＭＳ２２レベルで登録されている情報を含めて応答する。第１ネットワーク制御装置２４６Ａは、その発呼要求に対する応答を受けると、サービス起動要求をセッション制御装置２２０に転送する。ここで、第１通信端末４０Ａ及び第２通信端末４０ＢはＩＭＳ２２レベルですでに登録済であるということを示す情報を含めることにより、セッション制御装置２２０からユーザ登録と認証を第２通信端末４０Ｂに促す処理は必要なくなる。【００７９】
セッション制御装置２２０はＱｏＳ制御装置２２２にサービス起動要求に基づいたＱｏＳ設定要求を行ない、ＱｏＳ制御装置２２２が第１無線リソース制御装置３０２Ａと第２無線リソース制御装置３０２Ｂとに対し無線リソースの確保、および第１ＡＲ２６０Ａと第２ＡＲ２６０Ｂとに対しネットワークリソースの確保を要求する。そして、これらのリソースが確保されると、セッション制御装置２２０はサービス起動要求を第２ネットワーク制御装置２４６Ｂ経由で第２通信端末４０Ｂへ転送し、第２通信端末４０Ｂが応答した後、第１通信端末４０Ａと第２通信端末４０Ｂとの間でセッションを開始することが可能となる。【００８０】
なお、サービスタイプに応じて制御、設定が必要な装置は図１２に示した通りでありサービスの種別は、会話型サービスのタイプ１と、双方向多者間通信型サービスのタイプ２と、ストリーミング配信型サービスのタイプ３と、バックグランド型サービスのタイプ４の４種類に分類できる。ここで、サービスタイプ１（会話型サービス）やサービスタイプ２（双方向型サービス）ではＩＭＳ２２の起動が必要となるが、サービスタイプ３（ストリーミング型サービス）、サービスタイプ４（バックグラウンド型サービス）を利用する場合、ＩＭＳ２２の起動は基本的に不要である。【００８１】
上述した手順はＩＭＳ２２を用いるサービスタイプのサービス起動要求があった場合の処理の一例であり、ＩＭＳ２２を用いないサービスタイプ３または４のサービス起動要求である場合、ネットワーク制御装置２４６はセッション制御装置２２０を起動せずに、モビリティ管理装置２４０、ＱｏＳ制御装置２２２、無線リソース制御装置３０２をそれぞれ起動してセッションの設定を行なうことができる。また、サービスタイプ３のようにＱｏＳ制御装置２２２を起動する際は、ネットワーク制御装置２４６がＱｏＳ制御装置２２２に直接ＱｏＳ設定要求を行なうことができるようにするか、ＱｏＳ制御装置２２２と同じＱｏＳポリシーをネットワーク制御装置に共有させることで、直接ＡＲ２６０と無線リソース制御装置３０２にＱｏＳを要求できるよう構成すると、セッション制御装置２２０を介してＱｏＳ制御装置２２２を起動する手間もなくなり、さらに処理手順の簡略化を図ることが可能となる。【００８２】
このような本発明の応用例による通信設定処理を、図７に示す。この場合の第１通信端末４０Ａからのサービス起動要求は、ＩＭＳ２２を用いないサービスとして、例えば図１２に示したサービスタイプ３のストリーミング配信のようなサービスが前提であり、該サービス起動要求は当該アプリケーションサーバのＵＲＬ等を指定した要求となる。【００８３】
第１ネットワーク制御装置２４６Ａは当該要求を受けると、モビリティ管理装置２４０に当該アプリケーションサーバのＩＰアドレスを確認して、第１ＡＲ２６０Ａに通知する。第１ネットワーク制御装置２４６Ａは、前記サービス起動要求を、アプリケーションサーバが従属する第２ネットワーク制御装置２４６Ｂに送信すると、第２ネットワーク制御装置２４６Ｂはその要求に含まれる第１通信端末４０ＡのＩＰアドレスを第２ＡＲ２６０Ｂに通知し、第２ＡＲ２６０Ｂはそれを保持することにより、仮想伝送パスが設定される。【００８４】
第２ネットワーク制御装置２４６Ｂは、アプリケーションサーバにサービス起動要求を転送すると共に、ネットワークリソース設定を第２ＡＲ２６０Ｂに要求する。このように、ＱｏＳ制御装置２２２による処理をネットワーク制御装置２４６が代替することで、ＩＭＳレベルの処理を省略化することが可能となる。サービス起動応答を受けた第１ネットワーク制御装置２４６Ａは、第１無線リソース制御装置３０２Ａへの無線リソース設定、および第１ＡＲ２６０Ａへのネットワークリソース設定をそれぞれ要求し、設定されると、第１通信端末４０Ａにサービス起動応答を行ない、第１通信端末４０Ａはアプリケーションサーバとの通信を開始することができる。このように、本発明の応用例によれば、処理手順数を大幅に低減することが可能となる。【００８５】
なお、本実施形態において、ネットワーク制御装置２４６及びＡＲ２６０等は２つを用いて説明したが、これに限られず複数の装置を備えることとしても良いことは勿論である。また、各ＡＲ２６０は、複数の無線リソース制御装置３０２が接続されても良い。【００８６】
また、通信端末が利用する無線ネットワークシステムは、ＩＭＴ２０００等の携帯電話を利用するネットワークシステムであっても良いし、８０２．１１ｂ等の無線ＬＡＮを利用するネットワークシステム等、いずれの方式を用いた無線ネットワークシステムであってもよい。
【図１】
0004750137.tif 000002
【図２】
0004750137.tif 000003
【図３】
0004750137.tif 000004
【図４】
0004750137.tif 000005
【図５】
0004750137.tif 000006
【図６】
0004750137.tif 000007
【図７】
0004750137.tif 000008
【図８】
0004750137.tif 000009
【図９】
0004750137.tif 000010
【図１０】
0004750137.tif 000011
【図１１】
0004750137.tif 000012
【図１２】
0004750137.tif 000013
【図１３】
0004750137.tif 000014